(57)【要約】【課題】安定かつ円滑に排泄物を吸引でき、装置全体がコンパクトである携帯型の排泄物処理装置を提供する。【解決手段】携帯型排泄物処理装置において、受け口と排出口（２０）とを具備する中空筐体からなる排泄物受け部（１）と、吸引ホース（１４）を介して吸引する吸引装置（１３）と、送水ホース（１５）を介して送水する送水装置（１０）と、排泄物受け部（１）を支持すると共に臀部を載置させる臀部敷板（２）と、中空筐体側面に穿設された吸気孔（６）と、操作スイッチ（４）と、操作信号配線（８）を介して操作スイッチ（４）と接続された信号制御部（１６）とを有する。【選択図】  図３
2004267400.tif 000002
【特許請求の範囲】
【請求項１】
携帯型排泄物処理装置において、
（ａ）股間部に当てられる受け口と排出口（２０）とを具備する中空筐体からなる排泄物受け部（１）と、
（ｂ）前記排出口（２０）に接続された吸引ホース（１４）を介して排泄物を吸引する吸引装置（１３）と、
（ｃ）前記中空筐体内に設けた噴射口（５）から噴射する洗浄水を送水ホース（１５）を介して送水する送水装置（１０）と、
（ｄ）前記排泄物受け部（１）を支持すると共に臀部を載置させる臀部敷板（２）と、
（ｅ）前記中空筐体側面に穿設された吸気孔（６）と、
（ｆ）前記中空筐体外周面上から前記受け口側へ延びるスイッチ取付具（６４）の先端に設けた操作スイッチ（４）と、
（ｇ）操作信号配線（８）を介して前記操作スイッチ（４）と接続されかつ前記吸引装置（１３）及び前記送水装置（１０）を制御する信号制御部（１６）とを有することを特徴とする
携帯型排泄物処理装置。
【請求項２】
前記受け口の周縁を形成する密着パッド（７）を有することを特徴とする請求項１に記載の携帯型排泄物処理装置。
【請求項３】
前記中空筐体側面に穿設した尿入口（６３）に接続された尿送管（６２）と、該尿送管（６２）の先端に取り付けた尿受け部（３）を有することを特徴とする請求項１又は２に記載の携帯型排泄物処理装置。
【請求項４】
携帯型排泄物処理装置において、
（ａ）股間部に当てられる受け口と排出口（１２０）とを具備する中空筐体からなる排泄物受け部（１０１）と、
（ｂ）前記排出口（１２０）に接続された吸引ホース（１１４）を介して排泄物を吸引する吸引装置（１１３）と、
（ｃ）前記中空筐体内に設けた噴射口（１０５）から噴射する洗浄水を送水ホース（１１５）を介して送水する送水装置（１１０）と、
（ｄ）前記中空筐体外周面上から前記受け口側へ延びるスイッチ取付具（１６４）の先端に設けた操作スイッチ（１０４）と、
（ｅ）操作信号配線（１０８）を介して前記操作スイッチ（１０４）と接続されかつ前記吸引装置（１１３）及び前記送水装置（１１０）を制御する信号制御部（１１６）と、
（ｆ）前記吸引ホース（１１４）、前記送水ホース（１１５）及び前記操作信号配線（１０８）の各々との接続部（１４０、１３１、１３２）を具備しかつ前記吸引装置（１１３）、前記送水装置（１１０）及び前記信号制御部（１１６）を収容した本体ボックス（１００）と、
（ｇ）前記本体ボックス（１００）内にて、前記吸引ホース（１１４）からの排泄物を蓄積する排泄物蓄積槽（１１８）を内蔵しかつ前記吸引装置（１１３）への吸気ダクト（１２４）と連通する真空室（１１５）と、
（ｈ）前記本体ボックス（１００）内にて、前記送水装置（１１０）を内蔵した貯水槽（１１７）とを具備することを特徴とする
携帯型排泄物処理装置。
【請求項５】
前記真空室（１１５）と前記吸引装置（１１３）の間に前記貯水槽（１１７）が配置されかつ、前記真空室（１１５）と前記吸引装置（１１３）の間を接続する吸気ダクト（１２４）が該貯水槽（１１７）に穿設した吸気ダクト用孔として設けられることを特徴とする請求項４に記載の携帯型排泄物処理装置。
【請求項６】
前記排泄物受け部（１０１）を支持すると共に臀部を載置させる臀部敷板を取り付けたことを特徴とする請求項４又は５に記載の携帯型排泄物処理装置。
【請求項７】
前記中空筐体側面に穿設した尿入口に接続された尿送管と、該尿送管の先端に取り付けた尿受け部を有することを特徴とする請求項４〜６のいずれかに記載の携帯型排泄物処理装置。
【発明の詳細な説明】
【０００１】
【発明の属する技術分野】
本発明は、高齢者や病人等が仰臥した状態で排泄するための携帯型排泄物処理装置に関する。
【０００２】
【従来の技術】
従来のポータブルトイレは、一旦起き上がって利用しなければならないため、身体を自ら動かすことが困難な人は介助が必要である。また、寝床に寝たまま用を足せる差込便器もまた設置及び後始末において介助者に頼らざるを得ない。悪臭もあって、本人および介助者の双方にとって辛い作業となる。そこで、特許文献１及び２に示すように、寝床に仰臥したままで排泄することができ、排泄物を吸引回収すると共に局部を洗浄する洗浄水を噴射する装置が提示されている。
【特許文献１】
特開平６−８６７９２号公報
【特許文献２】
特開２０００−３２５４１１号公報
【０００３】
【発明が解決しようとする課題】
しかしながら、特許文献１及び２に記載された排泄物処理装置は、装置使用者の股間部に当てて便や尿を受ける排泄物受け部を安定に設置する手段が考慮されておらず、使用中に外れたり、排泄物が漏れたりするおそれがある。また、排泄物を吸引回収するために吸引ポンプ（真空ポンプ）等を用いているが、排泄物受け部が股間部に密着されその内部が完全に密閉状態となると、排泄物を吸引することが困難となる。さらにまた、このような排泄物処理装置の持ち運びや取扱いを容易にするには、吸引装置、送水装置、排泄物蓄積槽、貯水槽、これらを接続するホース並びに電気系制御部等の多くの構成要素をコンパクトにまとめることが好ましい。
【０００４】
以上の現状に鑑み、本発明の目的は、排泄物受け部を安定化できかつ排泄物の吸引を円滑に行うことができ、装置全体がコンパクトである携帯型の排泄物処理装置を提供することである。
【０００５】
【課題を解決するための手段】
上記の目的を達成すべく本発明は、以下の構成を提供する。
（１）請求項１に係る携帯型排泄物処理装置は、次の各構成要素を具備する。
（ａ）股間部に当てられる受け口と排出口とを具備する中空筐体からなる排泄物受け部
（ｂ）前記排出口に接続された吸引ホースを介して排泄物を吸引する吸引装置
（ｃ）前記中空筐体内に設けた噴射口から噴射する洗浄水を送水ホースを介して送水する送水装置
（ｄ）前記排泄物受け部を支持すると共に臀部を載置させる臀部敷板
（ｅ）前記中空筐体側面に穿設された吸気孔
（ｆ）前記中空筐体外周面上から前記受け口側へ延びるスイッチ取付具の先端に設けた操作スイッチ
（ｇ）操作信号配線を介して前記操作スイッチと接続されかつ前記吸引装置及び前記送水装置を制御する信号制御部
（２）請求項２に係る携帯型排泄物処理装置は、請求項１においてさらに、前記受け口の周縁を形成する密着パッドを有することが好適である。
（３）請求項３に係る携帯型排泄物処理装置は、請求項１又は２においてさらに、前記中空筐体側面に穿設した尿入口に接続された尿送管と、該尿送管の先端に取り付けた尿受け部を有することが好適である。
（４）請求項４に係る携帯型排泄物処理装置は、次の各構成要素を有する。
（ａ）股間部に当てられる受け口と排出口とを具備する中空筐体からなる排泄物受け部
（ｂ）前記排出口に接続された吸引ホースを介して排泄物を吸引する吸引装置
（ｃ）前記中空筐体内に設けた噴射口から噴射する洗浄水を送水ホースを介して送水する送水装置
（ｄ）前記中空筐体外周面上から前記受け口側へ延びるスイッチ取付具の先端に設けた操作スイッチ
（ｅ）操作信号配線を介して前記操作スイッチと接続されかつ前記吸引装置及び前記送水装置を制御する信号制御部
（ｆ）前記吸引ホース、前記送水ホース及び前記操作信号配線の各々との接続部を具備しかつ前記吸引装置、前記送水装置及び前記信号制御部を収容した本体ボックス
（ｇ）前記本体ボックス内にて、前記吸引ホースからの排泄物を蓄積する排泄物蓄積槽を内蔵しかつ前記吸引装置への吸気ダクトと連通する真空室
（ｈ）前記本体ボックス内にて、前記送水装置を内蔵した貯水槽
（５）請求項５に係る携帯型排泄物処理装置は、請求項４において、前記真空室と前記吸引装置の間に前記貯水槽が配置されかつ、前記真空室と前記吸引装置の間を接続する吸気ダクトが該貯水槽に穿設した吸気ダクト用孔として設けられることが好適である。
（６）請求項６に係る携帯型排泄物処理装置は、請求項４又は５において、前記排泄物受け部を支持すると共に臀部を載置させる臀部敷板を取り付けたことが好適である。
（７）請求項７に係る携帯型排泄物処理装置は、請求項４〜６のいずれかにおいて、前記中空筐体側面に穿設した尿入口に接続された尿送管と、該尿送管の先端に取り付けた尿受け部を有することが好適である。
【０００６】
【発明の実施の形態】
以下、図面を参照しつつ本発明による携帯型排泄物処理装置の実施の形態を説明する。図１は、本発明の第１の実施形態の一実施例における排泄物受け部１を概略的に示した外観斜視図である。図２は、図１の排泄物受け部１の正面図である。図３は、本発明の第１の実施形態の一実施例の概略的な全体構成図である。
【０００７】
図３の全体構成図に示す通り、本発明の携帯型排泄物処理装置は、主要な構成要素として、装置使用者の股間部に適用する排泄物受け部１と、真空吸引ポンプ用モータ等の吸引装置１３と、送水ポンプ用モータ等の送水装置１０とを有する。
【０００８】
排泄物受け部１は、図１に示す通り、ほぼ筒状の中空筐体を有し、筒状筐体の一端には使用者の股間部に当てられる適宜形状の開口である排泄物の受け口が設けられる。排泄物受け部１の材料は、合成樹脂が適しており、成型容易かつ軽量で扱い易いものが好ましい。好適には、この受け口の周縁は、股間部との密着性及び密閉性を良好にする密着パッド７により形成される。これにより、排泄物の漏れを防止する。密着パッド７は、例えば、合成ゴム材料から作製される。筒状筐体の他端は閉じられているが、図２の正面図に示す通り、吸引ホース１４が接続される排出口２０が設けられる。排泄物は、排出口２０から吸引ホース１４へと吸い出される。図３に示す通り、排出口２０に接続された吸引ホース１４は、吸引装置１３へ接続されている。吸引ホース１４の他端から排出される排泄物は、排泄物蓄積槽１８に蓄積される。排泄物蓄積槽１８は吸引装置１３から取り外すことができ、溜まった排泄物を通常のトイレ便器等へ流すことができる。
【０００９】
尚、排泄物受け部１の排出口２０に対して吸引ホース１４を着脱可能とすることにより、排泄物受け部１を吸引ホース１４から切り離して、洗浄したり消毒したりすることが容易となる。
【００１０】
排泄物受け部１の中空筐体内にはさらに、洗浄水を噴射する噴射口５が設けられる。噴射口５の角度は、使用者に合わせて調整可能である。図２に示す通り、図示の例では、噴射口５が中空筐体の側面内側から中空部のほぼ中央まで延びており、中空筐体側面外側には、送水ホース１５へ接続される接続部が設けられる。接続部は、例えばワンタッチカップリング９等であり、送水ホース１５を排泄物受け部１に対して容易に着脱可能としている。送水ホース１５は、送水装置１０へ接続されている。送水装置１０は、貯水槽１７に沈められており、貯水槽１７内の水を汲み上げて送水ホース１５を介して排泄物受け部１へと送水する。尚、送水装置１０は、調整バルブ等の水圧調整部１１を具備し、水圧を適宜調整できる。
【００１１】
さらに、排泄物受け部１には、下側から支持する平板状の臀部敷板２が取り付けられる。臀部敷板２は、排泄物受け部１の受け口よりもさらに前方に拡がる大きさである。従って、排泄物受け部１を使用者の股間部に当てたとき、使用者の臀部が臀部敷板２の上に載置されることになる。このように使用者自身の体重で臀部敷板２が固定されるため、排泄物受け部１は、その使用中に左右前後にずれることなく安定に設置されることとなる。尚、臀部敷板２は、芯材はある程度の硬度が必要であるが、表面、特に臀部と接する面の素材にはクッション性をもたせることが使用者にとって快適である。
【００１２】
またさらに、排泄物受け部１には、中空筐体側面に１又は複数の吸気孔６が穿設されている。この吸気孔６があることで、吸引装置１３の稼動中に空気が流入され、中空筐体内の水と空気の流外力学により円滑に吸引が行われる。尚、吸引装置１３の吸引作用によっても、排泄物受け部１の内部が負圧傾向になるため股間部に密着し、排泄物の漏れを防止することができる。また、吸気孔６からは空気が流入するため、ここから排泄物が漏れるおそれはない。
【００１３】
排泄物受け部１の中空筐体上側の外周面上から受け口側へスイッチ取付具６４が延びており、その先端には操作スイッチ４が受け口側へ向いて設けられている。この操作スイッチ４は、使用者自身が吸引装置１３及び送水装置１０のオンオフを制御するためのものである。操作スイッチ４に接続された操作信号配線８は、スイッチ取付具２４内を通りその基部からさらに延びて信号制御部１６へ接続される。信号制御部１６は、ＡＣ電源により動作し、吸引装置１３及び送水装置１０のモータ等に対して駆動電力及び制御信号を送ることにより制御する。
【００１４】
尚、使用者が男性の場合、カップ形状の尿受け部３を排泄物受け部１に取り付けてもよい。例えば、中空筐体側面に穿設した尿入口６３に尿送管６２を接続し、この尿送管６２の先端に尿受け部３を取り付ける。
【００１５】
次に、図４〜図７を参照して本発明の第２の実施形態の一実施例を説明する。図４は、本発明の第２の実施形態の一実施例の概略的な全体構成図である。図５は、図４の排泄物受け部１０１の外観斜視図であり、図６は、図４の排泄物受け部１０１の断面図である。図７は、図４の本体ボックス１００内部を示す概略的立面図であり、図８は、図４の本体ボックス１００内部を示す概略的平面図である。図９は、本体ボックス１００内の貯水槽１１７の展開斜視図である。
【００１６】
図４の全体構成図に示す通り、第２の実施形態の携帯型排泄物処理装置は、主要な構成要素として、装置使用者の股間部に適用する排泄物受け部１０１と、本体ボックス１００とを有する。前述の第１の実施形態の吸引装置や送水装置は、この本体ボックス１００内に収容されている。
【００１７】
排泄物受け部１０１は、図１の排泄物受け部１とほぼ共通する構造を有する。以下、共通部分については説明を省略する場合がある。図５に示す通り、排泄物受け部１０１の筐体の後端に吸引ホース１１４及び送水ホース１１５が接続されている。
【００１８】
図５を参照すると、図１の例と同様に、筐体上側の外周側面上からスイッチ取付具１６４が受け口側へ延び、その先端には、２個の操作スイッチ１０４が設けられる。操作スイッチ１０４に接続された操作信号配線１０８は、スイッチ取付具１６４の基部から本体ボックス１００の方へ延びている。この２個の操作スイッチ１０４をＡ及びＢとすると、例えば、Ａスイッチの操作で吸引装置と送水装置が同時作動し、排泄物の吸引と局部洗浄を同時に行う。そしてＢスイッチは、尿の吸引のためであり、これを操作すると吸引装置のみが作動する。
【００１９】
尚、図５に示す、吸引ホース１１４、送水ホース１１５及び操作信号配線１０８の３本のラインは、１つのフレキシブルな保護ホース内にまとめて収納するか、適宜のバンドで締結してまとめると、さらに好ましい。
【００２０】
図６の断面図に示す通り、第２の実施例では、洗浄水の噴射口１０５が中空筐体の後端内壁にノズル固定ナットにより固定されているため、筐体側面には送水ホース１１５への接続管がなくシンプルである。
【００２１】
尚、前述のように、排泄物受け部１０１の吸引ホース１１４及び送水ホース１１５も着脱可能であり、それぞれを切り離して、洗浄したり消毒したりすることが容易となる。図示の例では、排泄物受け部１０１には前述の臀部敷板を取り付けていないが、もちろん第２の実施形態においても、排泄物受け部１０１を支持すると共に臀部を載置させる臀部敷板を取り付けてもよい。またこれも図示していないが、使用者が男性の場合、前述の図１に示したものと同じカップ形状の尿受け部を排泄物受け部１０１に取り付けてもよい。すなわち、排泄物受け部１０１の中空筐体側面に穿設した尿入口に尿送管を接続し、その尿送管の先端に尿受け部を取り付ける。
【００２２】
図７は、本体ボックス１００内部を示す概略的立面図である。本体ボックス１００は、ほぼ直方体の筐体からなる。本体ボックス１００の外周一側面（紙面左側）上には、吸引ホース１１４の接続部１４０、送水ホース１１５の接続部１３１及び操作信号配線１０８の接続部１３２が設けられる。これらの各接続部１４０、１３１及び１３２へは、それぞれ着脱自在である。本体ボックス１００の内部には、真空吸引ポンプ用モータ等の吸引装置１１３、送水ポンプ用モータ等の送水装置１１０及び信号制御部１１６が収容されている。尚、図７では、排泄物蓄積槽１１８と貯水槽１１７の紙面手前側の側壁は省略して描いている。
【００２３】
送水装置１１０は、貯水槽１１７内に沈められており、貯水槽１１７内の洗浄水を汲み上げて内部送水管１３０を介して送水ホース接続部１３１へと送水する。尚、送水装置１１０は、調整バルブ等の水圧調整部１１１を具備し、水圧を適宜調整できる。また貯水槽１１７の上部扉には取って１５３が設けられており、これを持って貯水槽１１７の上部扉を開くことができる。そして、貯水槽１１７内の洗浄水を補充することができる。
【００２４】
さらに、本体ボックス１００内には、吸引ホース１１４から吸引ホース接続部１４０を経て入ってくる排泄物を蓄積するための排泄物蓄積槽１１８を内蔵する。この排泄物蓄積槽１１８は、密閉性を有する真空室１１５内に収容されており、かつこの真空室１１５は、吸引装置１１３へ通ずる吸気ダクト１２４と連通する開口を有し、この吸気ダクト１２４との連通口にはエアフィルタ１２５が設けられる。尚、排泄物蓄積槽１１８には取っ手１５４が設けられ、さらに真空室１１５の上部扉にも取っ手１５２が設けられている。よって、排泄物蓄積槽１１８に溜まった排泄物を捨てる場合は、真空室扉取っ手１５２を持って真空室１１５を開き、排泄物蓄積槽１１８の取っ手１５４を持って排泄物蓄積槽１１８を取り出し、溜まった排泄物を通常のトイレ便器等へ流すことができる。
【００２５】
図７及び図８に示す実施例では、真空室１１５と吸引装置１１３の間に貯水槽１１７が配置されており、真空室１１５と吸引装置１１３の間を接続する吸気ダクト１２４が貯水槽１１７を横切るように設置されている。図９に示す貯水槽１１７の展開斜視図のように、貯水槽１１７の対向する２つ側面の間を貫通するように吸気ダクト用孔が穿設されており、この孔内が吸気ダクト１２４となる。これにより、真空室１１５と吸引装置１１３が接続される。この配置は、本体ボックス１００をコンパクトに形成するために好適である。
【００２６】
吸気ダクト１２４は、吸引装置１１３の吸気口１２２へ接続されている。一方、吸引装置１１３の排気口１２３に隣接する本体ボックス１００の一側面には排気用の適宜の孔１５６が穿設されている。
【００２７】
操作信号配線１０８と操作信号配線接続部１３２を経て接続される信号制御部１１６は、ＡＣ電源により動作し、吸引装置１１３及び送水装置１１０のモータ等に対して駆動電力及び制御信号を送ることにより制御する。
【００２８】
【発明の効果】
以上述べた通り、本発明による携帯型排泄物処理装置は、排泄物受け部を下側から支持しかつ臀部を載置する臀部敷板を設け、また排泄物受け部に吸気孔を設けたことにより、排泄物受け部を安定化できると共に排泄物の吸引を円滑に行うことができ、さらに排泄物の漏れも防止することができる。
【００２９】
さらに、吸引装置、排泄物蓄積槽、送水装置、貯水槽、信号制御部等を１つの本体ボックスに収容したことから装置全体がコンパクトであり、各部の脱着取り外しが容易かつ持ち運び容易な携帯型排泄物処理装置が実現された。
【００３０】
またさらに、本発明の携帯型排泄物処理装置は、使用者が一人で操作でき、他人の目を気にせずに使用できる。加えて、介護者も毎日１回程度の後始末を行えばよいため、負担が軽減される。
【図面の簡単な説明】
【図１】本発明の第１の実施形態の一実施例における排泄物受け部１を概略的に示した外観斜視図である。
【図２】図１の排泄物受け部１の正面図である。
【図３】本発明の第１の実施形態の一実施例の概略的な全体構成図である。
【図４】本発明の第２の実施形態の一実施例の概略的な全体構成図である。
【図５】図４の排泄物受け部１０１の外観斜視図である。
【図６】図４の排泄物受け部１０１の断面図である。
【図７】図７は、図４の本体ボックス１００の内部を示す立面図である。
【図８】図４の本体ボックスの内部を示す平面図である。
【図９】図７の本体ボックス１００内の貯水槽１１７の展開斜視図である。
【符号の説明】
１、１０１  排泄物受け部
２  臀部敷板
３  尿受け部
４、１０４  操作スイッチ
５、１０５  噴射口
６、１０６  吸気孔
７  密着パッド
８、１０８  操作信号配線
９  ジョイント部
１０、１１０  送水装置
１１、１１１  水圧調整部
１２  電源供給配線
１３、１１３  吸引装置
１４、１１４  吸引ホース
１５、１１５  外部送水ホース
１６、１１６  信号制御部
１７、１１７  貯水槽
１８、１１８  排泄物蓄積槽
２０、１２０  排出口
６２  尿送管
６３  尿入口
６４、１６４  スイッチ取付具
１００  本体ボックス
１１５  真空室
１２２  吸引装置吸気口
１２３  吸引装置排気口
１２４  吸気ダクト
１２５  エアフィルタ
１３０  内部送水管
１３１  外部送水ホース接続部
１３２  操作信号配線接続部
１４０  吸引ホース接続部
１５２  真空室扉取っ手
１５３  貯水槽扉取っ手
１５４  排泄物蓄積槽取っ手
１５６  排気孔
【図１】
2004267400.tif 000003
【図２】
2004267400.tif 000004
【図３】
2004267400.tif 000005
【図４】
2004267400.tif 000006
【図５】
2004267400.tif 000007
【図６】
2004267400.tif 000008
【図７】
2004267400.tif 000009
【図８】
2004267400.tif 000010
【図９】
2004267400.tif 000011